(57)【要約】【課題】アロマテラピー効果を一層高めると共に、香り供給手段の構成部品数を削減して施工の簡略化及びコストダウンを図ること。【解決手段】浴室１内の空気を吸引して天井２に設けた吹出口から浴室１内に循環させる循環用ファンと、循環用ファンによって循環される空気を加熱する暖房用ヒータと、浴室１内の空気を浴室１外へ排出する換気口を開閉するための換気用ダンパーとで構成される暖房換気乾燥機７内に、吹出口から浴室１内に香り成分を供給するための香り供給手段８が付設され、香り供給手段８は暖房用ヒータ５の加熱により香り成分材料から香り成分を発生させると共に循環用ファン４により香り成分を吹出口３から噴出させるためのアロマ機能付き暖房換気乾燥機である。【選択図】図１
2008185230.tif 000002
【特許請求の範囲】
【請求項１】
浴室内の空気を吸引して天井に設けた吹出口から浴室内に循環させる循環用ファンと、循環用ファンによって循環される空気を加熱する暖房用ヒータと、浴室内の空気を浴室外へ排出する換気口を開閉するための換気用ダンパーとで構成される暖房換気乾燥機に、上記吹出口から浴室内に香り成分を供給するための香り供給手段が付設され、香り供給手段は上記暖房用ヒータの加熱により香り成分材料から香り成分を発生させると共に上記循環用ファンにより香り成分を吹出口から噴出させることを特徴とするアロマ機能付き暖房換気乾燥機。
【請求項２】
上記循環用ファンにより香り成分を吹出口から噴出させるアロマ運転モードの終了を検知する検知手段と、アロマ運転モードの終了を検知した後に、吹出口から温風のみを供給する通常の暖房乾燥モードを実行可能にするためのコントローラとを設けたことを特徴とする請求項１記載のアロマ機能付き暖房換気乾燥機。
【請求項３】
上記循環用ファンにより香り成分を吹出口から噴出させるアロマ運転モードの終了後に、換気用ダンパーを所定時間開いて浴室内の空気を強制的に浴室外に排気するための強制換気モードを実行可能とし、強制換気モードの終了後に、上記換気用ダンパーを閉じて吹出口から温風のみを供給する通常の暖房乾燥モードを実行可能にするためのコントローラを設けたことを特徴とする請求項１又は２記載のアロマ機能付き暖房換気乾燥機。
【発明の詳細な説明】
【技術分野】
【０００１】
本発明は、浴室の天井に設置されるアロマ機能付き暖房換気乾燥機に関するものである。
【背景技術】
【０００２】
従来の暖房換気乾燥機は、暖房、換気、乾燥のシステムはあるが、入浴者のリフレッシュあるいはリラックス効果を得る機能は有していない。
【０００３】
また、入浴者のリフレッシュあるいはリラックス効果を得るアロマ装置として、図８に示すように、浴室１の外部に設置した香り給気装置５０と浴室１内壁の浴槽５１近辺に設置したアロマ用吹出口５２とを、脱衣室１３から天井２裏を通して浴室１外壁に沿って配管されるダクト５３で接続し、浴室１内に設けたアロマ運転スイッチを操作して、アロマ用ファン５４により香り給気装置５０で香り成分を吸気してアロマ用吹出口５２から排気するシステムとすることにより、入浴者がリフレッシュ或いはリラックスできるアロマテラピー効果が得られるようにした浴室装置が知られている（例えば、特許文献１参照）。
【０００４】
ところが特許文献１に示される従来例にあっては、アロマ用吹出口５２から矢印イ方向に向かって吹き出す香り入りの空気は、浴槽５１近辺にとどまり、浴室１全体に広げることができず、例えば、洗い場にいる入浴者は香り成分を吸収できず、アロマテラピー効果が低いという問題がある。しかも、香り給気装置５０で吸気した香り成分をアロマ用吹出口５２から噴出させるためのアロマ用ファン５４、及び、アロマ用吹出口５２を別途設ける必要があり、このため、浴室１内に余分な装置設置面スペースを確保する必要があり、そのうえ、アロマ装置の構成部品数が増加する結果、施工の複雑化及びコストアップを招くという問題もある。
【特許文献１】特開２００５−２６１５５２号公報
【発明の開示】
【発明が解決しようとする課題】
【０００５】
本発明は上記の従来の問題点に鑑みて発明したものであって、リフレッシュ或いはリラックスできるアロマテラピー効果を一層高めることができると共に、香り供給手段の構成部品数を削減でき、施工の簡略化及びコストダウンを図ることができるアロマ機能付き暖房換気乾燥機を提供することを課題とし、さらに、暖房換気乾燥機の本来の暖房乾燥機能を損なうことなくアロマテラピー機能を付加できるアロマ機能付き暖房換気乾燥機を提供することを課題とし、さらに、アロマ運転モード終了後に浴室内を十分に換気できるアロマ機能付き暖房換気乾燥機を提供することを課題とするものである。
【課題を解決するための手段】
【０００６】
上記課題を解決するために本発明にあっては、浴室１内の空気を吸引して天井２に設けた吹出口３から浴室１内に循環させる循環用ファン４と、循環用ファン４によって循環される空気を加熱する暖房用ヒータ５と、浴室１内の空気を浴室１外へ排出する換気口１２を開閉するための換気用ダンパー６とで構成される暖房換気乾燥機７に、上記吹出口３から浴室１内に香り成分を供給するための香り供給手段８が付設され、香り供給手段８は上記暖房用ヒータ５の加熱により香り成分材料から香り成分を発生させると共に上記循環用ファン４により香り成分を吹出口３から噴出させることを特徴としている。
【０００７】
このような構成とすることで、循環用ファン４により香り成分を吹出口３から噴出させる時に香り成分が天井２に設置した暖房換気乾燥機７の吹出口３から浴室１全体に広がるので、入浴者は浴槽内にいる場合に限らず、洗い場にいる場合でも、香り成分をより効果的に吸収できるようになる。しかも、暖房換気乾燥機７の暖房用ヒータ５を利用して香り成分材料を加熱でき、また暖房換気乾燥機７の循環用ファン４を利用して加熱により発生した香り成分を浴室１内に供給でき、さらに暖房換気乾燥機７の吹出口３を利用して香り成分を噴出させることができるので、アロマ用のヒータや送風手段、吹出口をそれぞれ別途設ける必要がなくなる。
【０００８】
また、上記循環用ファン４により香り成分を吹出口３から噴出させるアロマ運転モードの終了を検知する検知手段１０と、アロマ運転モードの終了を検知した後に、吹出口３から温風のみを供給する通常の暖房乾燥モードを実行可能にするためのコントローラ１１とを設けるのが好ましく、この場合、暖房換気乾燥機７の本来の暖房乾燥機能を損なうことなく、アロマテラピー機能を付加することができる。
【０００９】
また、上記循環用ファン４により香り成分を吹出口３から噴出させるアロマ運転モードの終了後に、換気用ダンパー６を所定時間開いて浴室１内の空気を強制的に浴室１外に排気するための強制換気モードを実行可能とし、強制換気モードの終了後に、上記換気用ダンパー６を閉じて吹出口３から温風のみを供給する通常の暖房乾燥モードを実行可能にするためのコントローラ１１を設けるのが好ましく、この場合、アロマ運転モード終了後の強制換気モードによって浴室１内の強制換気ができ、浴室１内を十分に換気した状態にできる。
【発明の効果】
【００１０】
以上のように請求項１記載の発明は、暖房換気乾燥機の循環用ファンにより香り成分を吹出口から噴出させることで香り成分が浴室全体に広がるので、リフレッシュ或いはリラックスできるアロマテラピー効果を一層高めることができる。そのうえ、暖房換気乾燥機の暖房用ヒータ、循環用ファン、吹出口をそれぞれ利用できるので、浴室内の余分な装置設置面スペースを確保しなくて済むようになると共に、香り供給手段の構成部品数を削減でき、施工の簡略化及びコストダウンを図ることができる効果も得られる。
【００１１】
また請求項２記載の発明は、循環用ファンにより香り成分を吹出口から噴出させるアロマ運転モードの終了を検知する検知手段と、検知後に通常の暖房乾燥モードを実行可能にするためのコントローラとを備えることにより、暖房換気乾燥機の本来の暖房乾燥機能を損なうことなく、アロマテラピー機能を付加することができる。
【００１２】
また請求項３記載の発明は、循環用ファンにより香り成分を吹出口から噴出させるアロマ運転モードの終了後に強制換気モードを実行し、強制換気モードの終了後に、通常の暖房乾燥モードを実行可能にするためのコントローラを設けたことにより、強制換気モードによって浴室内を十分に換気した状態にできるので、浴室内の香り成分（アロマ成分）が浴室内に放置されることを防止できるものである。
【発明を実施するための最良の形態】
【００１３】
以下、本発明を添付図面に示す実施形態に基いて説明する。
【００１４】
本実施形態のアロマ機能付き暖房換気乾燥機７は、図１に示すように、浴室１の天井２に設置される暖房換気乾燥機７に、暖房換気乾燥機７の吹出口３から香り成分を供給するための香り供給手段８が付設されている。浴室１内部（或いは浴室１外部）には、暖房換気乾燥機７及び香り供給手段８をそれぞれ制御するコントローラ１１が設置されている。コントローラ１１には、通常の暖房乾燥モードを開始する暖房運転ボタン、アロマ運転モードを開始するアロマ運転ボタン、強制換気モードを開始する強制換気ボタン等が設置されている。
【００１５】
上記暖房換気乾燥機７は、図４に示すように、浴室１内の空気を吸い込み口３５から吸引して天井２に設けた吹出口３から浴室１内に循環させる循環用ファン４と、循環用ファン４によって循環される空気を加熱する暖房用ヒータ５と、浴室１内の空気を浴室１外へ排出する換気口１２を開閉するための換気用ダンパー６とを備えている。
【００１６】
上記香り供給手段８は、図１に示す例では、脱衣室１３の壁面に設置されるアロマ調合器１４と、天井２裏に設置されるアロマ貯蔵器１５と、天井２裏に設置されている暖房換気乾燥機７内部に収納されるアロマトレイ１６とを備えたアロマ装置９で構成されており、暖房換気乾燥機７の暖房用ヒータ５による加熱によりアロマ液から香り成分を発生させると共に発生した香り成分を暖房換気乾燥機７の循環用ファン４により吹出口３から浴室１内に噴出させるように構成されている。
【００１７】
ここで、上記アロマ調合器１４のケーシング１４ａ内には、図２に示すように、エッセンシャルオイルａと水とが供給される調合容器１４ｂと、エッセンシャルオイルａと水とを調合してアロマ液を得る調合制御装置１７と、調合容器１４ｂ内のアロマ液を一次アロマ管１８に吸い上げて天井２側のアロマ貯蔵器１５に供給するための加圧ポンプ１９とが収納されている。上記調合容器１４ｂの上面部にはエッセンシャルオイルａが供給されるオイル点滴口２０が設けられ、このオイル点滴口２０の上端部はケーシング１４ａの側面凹所２１の底面側に開放されており、脱衣室１３側からエッセンシャルオイルａをオイル点滴口２０に滴下することで、調合容器１４ｂ内にエッセンシャルオイルａを供給できるようになっている。調合容器１４ｂの下面部には給水管２２に接続される給水口２３が設けられており、調合容器１４ｂの一側面には一次アロマ管１８と連通するアロマ液流出口２４が設けられている。なお図２（ａ）中の２５はポンプ１９の制御線、３０は調合容器１４ｂ内のアロマ液の有無を検知するアロマ液センサー、２６はアロマ液センサー制御線である。
【００１８】
天井２裏に設置されるアロマ貯蔵器１５のハウジング１５ａ内には、図３に示すように、一端側の流入口２７ａが高く、他端側の流出口２７ｂが低くなるように傾斜した貯蔵庫２７と、貯蔵庫２７の内部を加圧するための加圧ポンプ２９と、貯蔵庫２７内のアロマ液の有無を検知するアロマ液センサー３１と、アロマ液センサー３１からの検知信号を処理する制御装置３２とが収容されている。貯蔵庫２７の流入口２７ａは上記アロマ調合器１４側の一次アロマ管１８に連通しており、流出口２７ｂは逆止弁Ａを介して後述するアロマトレイ１６に通じる二次アロマ管２８に連通している。ここで貯蔵庫２７の流出口２７ｂの逆止弁Ａは、加圧ポンプ２９で貯蔵庫２７内部が加圧された際に貯蔵庫２７内のアロマ液を二次アロマ管２８側に向かって押し出すと共に逆流を防止する機能を有する。また上記貯蔵庫２７内のアロマ液の有無を検知するアロマ液センサー３１はアロマ運転モードの終了を検知する検知手段１０として機能する。なお図中の３３はアロマ調合器１４と接続されるセンサーケーブルである。
【００１９】
上記アロマ貯蔵器１５と連通する二次アロマ管２８の先端部分は、図４に示すように、暖房換気乾燥機７内部に引き込まれており、暖房換気乾燥機７内の吹出口３の近傍位置に配置されたアロマトレイ１６に連通している。吹出口３に面して暖房換気乾燥機７の暖房用ヒータ５が設置されており、この既存の暖房用ヒータ５の近傍位置にアロマトレイ１６が設置されており、暖房用ヒータ５から送られる熱を利用してアロマトレイ１６を加熱することにより、アロマ液が加熱により気化するものである。さらに、アロマトレイ１６の加熱によってアロマ液から発する香り成分（アロマ成分）は、暖房換気乾燥機７の循環用ファン４によって吹出口３から浴室１内に供給されるようになっている。
【００２０】
次に、動作例を説明する。入浴前に、脱衣室１３の壁面に設置されているアロマ調合器１４のオイル点滴口２０に、入浴者の好きな香りのエッセンシャルオイルａを数滴、滴下する。その後、暖房換気乾燥機７のコントローラ１１に設けたアロマ運転ボタンを押すと、アロマ運転ボタンが点滅して、香り成分を暖房換気乾燥機７の吹出口３から浴室１内に噴出させるためのアロマ運転モードが開始される。先ず、アロマ調合器１４では、点滴されたエッセンシャルオイルａに給水管２２からの適量の水が加えられてバランス良く調合されたアロマ液（香り成分材料）を生成する。このアロマ液はアロマ調合器１４内の加圧ポンプ１９によって一次アロマ管１８に吸い出され、一次アロマ管１８を経由して天井２裏のアロマ貯蔵器１５内部の貯蔵庫２７内に移動する。すべてのアロマ液が移動したことは、アロマ調合器１４内のアロマ液センサー３０によって感知される。すべてのアロマ液が貯蔵庫２７内に移動した後に、アロマ貯蔵器１５内の加圧ポンプ２９がアロマ液を加圧することにより、細い二次アロマ管２８側にアロマ液が少しずつ押し出されて、暖房換気乾燥機７内部に設置されたアロマトレイ１６に移動していく。アロマトレイ１６内に移動したアロマ液は暖房換気乾燥機７の暖房用ヒータ５の熱によって加熱されて気化し、気化した香り成分（アロマ成分）が暖房換気乾燥機７の循環用ファン４の送風を利用して図４（ａ）の矢印イ方向に向けて吹出口３から噴出されて浴室１全体に広がっていく。このようなアロマ運転モードはアロマ貯蔵器１５内のアロマ液がなくなるまで継続されると共に、アロマ運転モード中は図４（ａ）のように換気用ダンパー６は閉じており、図５（ａ）のように浴室１内部の空気が循環し続ける。
【００２１】
その後、アロマ液がなくなったことをアロマ貯蔵器１５内のアロマ液センサー３１で検知されると、自動洗浄を開始する。ここでは、アロマ調合器１４及びアロマ貯蔵器１５の運転状態で、アロマ調合器１４の調合容器１４ｂ内に給水管２２から洗浄用の水を供給する。この洗浄用の水は、アロマ運転モード時と同じな経路で、一次アロマ管１８を経由してアロマ貯蔵器１５の貯蔵庫２７内に移動して貯蔵庫２７内を洗浄し、その後、アロマトレイ１６に移動してアロマトレイ１６を洗浄する。アロマトレイ１６内に移動した洗浄水は暖房換気乾燥機７の暖房用ヒータ５の加熱によって気化し、浴室１内に放出される。
【００２２】
自動洗浄モードが終了すると、アロマ運転ボタンの点滅が消灯し、代わりにコントローラ１１の強制換気ボタンが点灯して強制換気モードの準備状態となる。つまり強制換気ボタンを押すまでは、浴室１内の空気循環は継続される。強制換気ボタンを押すと強制換気モードが開始され、図４（ｂ）のように換気用ダンパー６は開き、循環用ファン４によって図５（ｂ）のように浴室１内部の空気が外部に排出され続ける。これにより、浴室１内の香り成分（アロマ成分）が十分に換気された状態となる。一定時間後に強制換気モードが終了すると、通常の暖房乾燥モードが実行可能な状態となる。つまり、コントローラ１１の暖房運転ボタンを押すことにより通常の暖房乾燥モードを開始できる状態となる。
【００２３】
しかして、上記構成の暖房換気乾燥機７内に、香り供給手段８を構成するアロマ装置９の一部を組み込むことにより、アロマ液（香り成分材料）の加熱により気化した香り成分を暖房換気乾燥機７の吹出口３から浴室１全体に噴出させることにより、香り成分を浴室１全体に広げることができ、従って、入浴者は浴槽内にいる場合に限らず、洗い場にいる場合でも、香り成分をより効果的に吸収できるようになり、リフレッシュ或いはリラックスできるアロマテラピー効果を一層高めることができる。
【００２４】
しかも、暖房換気乾燥機７の暖房用ヒータ５をアロマトレイ１６の加熱源として利用でき、また暖房換気乾燥機７の循環用ファン４を加熱により発生した香り成分の送風手段として利用でき、さらに暖房換気乾燥機７の吹出口３を香り成分の吹出口として利用できる。従って、アロマ用のヒータ、送風手段、吹出口をそれぞれ別途設ける必要がなくなり、この結果、浴室１内の余分な装置設置面スペースを確保しなくて済むようになると共に、アロマ装置９の構成部品数を削減でき、施工の簡略化及びコストダウンを図ることができるものである。
【００２５】
また本例のアロマ装置９は、入浴前に、アロマ調合器１４のオイル点滴口２０にエッセンシャルオイルａを数滴たらすだけで、一定時間、アロマ運転モードを全自動で実施可能となるので、操作性が向上する利点もある。
【００２６】
また本例の暖房換気乾燥機７のコントローラ１１は、アロマ運転モードの終了を検知した後に通常の暖房乾燥モードを実行可能としたものであり、アロマ液（香り成分材料）がなくなった以降に、コントローラ１１の暖房運転ボタンを押すだけで、通常の暖房換気乾燥機７として使用できるので、暖房換気乾燥機７の本来の暖房乾燥機能を損なうことなく、アロマテラピー機能を付加できるものである。
【００２７】
さらに本例では、アロマ運転モードの終了後に、換気用ダンパー６を所定時間開いて浴室１内の空気を強制的に浴室１外に排気するための強制換気モードを実行し、強制換気モードの終了後に、換気用ダンパー６を閉じて通常の暖房乾燥モードを実行可能としたので、強制換気モードによって浴室１内の強制換気ができ、浴室１内を十分に換気した状態となるので、浴室１内の香り成分（アロマ成分）が浴室１内に放置されることを防止できる利点もある。
【００２８】
なお前記実施形態では、アロマトレイ１６内にアロマ液がなくなったことをアロマ液センサー３１で検知した後に強制換気モードを開始するプロセスを説明したが、他例として、アロマ液がなくなる前にアロマ運転モードを途中で停止させた場合でも、強制換気モードを開始させることが可能なプロセスを採用することも可能である。この場合、アロマ運転モードを途中で止めたいときや、アロマ運転モード途中で他の人が入れ替わりに浴室１に入ってきたときなどに、有効となる。
【００２９】
また前記図４の実施形態では、アロマトレイ１６を暖房用ヒータ５の上面側に配置すると共に、アロマトレイ１６と暖房用ヒータ５とを熱的に結合した場合を例示したが、例えば、図６、図７に示すように、アロマトレイ１６を暖房用ヒータ５の下方に配置し、暖房用ヒータ５からの温風の熱を利用してアロマトレイ１６内のアロマ液を加熱して気化させる構造であってもよい。なお、図中の６１は吸い込み口３５を有する吸い込みグリル、６２は吹出口３を有する吹き出しグリル、６３は前パネルである。他の構成は前記実施形態と同様である。本例では前記図４の実施形態と同様にアロマテラピー効果を一層高める等の効果に加えて、暖房用ヒータ５の下方の任意の位置にアロマトレイ１６を配置でき、アロマトレイ１６の配置の自由度が高まる利点もある。
【図面の簡単な説明】
【００３０】
【図１】本発明の一実施形態のアロマ機能付き暖房換気乾燥機を説明する概略斜視図である。
【図２】（ａ）（ｂ）は同上のアロマ調合器の側面断面図、正面図である。
【図３】同上のアロマ貯蔵器の側面断面図である。
【図４】（ａ）は同上のアロマ運転モード時の暖房換気乾燥機の状態説明図、（ｂ）は同上の強制換気モード時の暖房換気乾燥機の状態説明図である。
【図５】（ａ）は同上のアロマ運転モード時の香り成分入り空気の流れを説明する図、（ｂ）は同上の強制換気モード時の換気状態を説明する図である。
【図６】本発明の他の実施形態であり、（ａ）はアロマトレイを暖房用ヒータの下方に配置した暖房換気乾燥機を下面から見た一部破断した下面図、（ｂ）は側面図である。
【図７】同上の暖房換気乾燥機を下方から見た分解斜視図である。
【図８】従来のアロマ装置を説明する斜視図である。
【符号の説明】
【００３１】
１  浴室
２  天井
３  吹出口
４  循環用ファン
５  暖房用ヒータ
６  換気用ダンパー
７  暖房換気乾燥機
８  香り供給手段
１０  検知手段
１１  コントローラ 
【図１】
2008185230.tif 000003
【図２】
2008185230.tif 000004
【図３】
2008185230.tif 000005
【図４】
2008185230.tif 000006
【図５】
2008185230.tif 000007
【図６】
2008185230.tif 000008
【図７】
2008185230.tif 000009
【図８】
2008185230.tif 000010